(57)【要約】本発明のディスク立て装置Ａでは、角錐や円錐形などの支柱２に母線に対して平行もしくは傾斜するようにスリット部４を所定の間隔で複数段に形成する。これらスリット部４にディスク５の一端部を挿入すると、使用者側からは複数のディスク５が所定の間隔をもって部分的に重なり合うようになる。このため、再使用時に上下あるいは左右に隣り合うディスク５の隙間から各ディスク５の題名を視認することにより、所望のディスク５を素早く取り出すことができる。ディスク５をコンピュータ関連機器に適用した場合、ディスク５の素早い取り出しにより事務処理能率が向上する。
2003099680.tif 000002
【特許請求の範囲】
【請求項１】
縦型に設置される支柱と、
この支柱の母線に対して平行もしくは傾斜するように前記支柱の側面部あるいは稜線部に所定の間隔で複数段に形成したスリット部とを備え、
ディスクの一端部を前記スリット部に取出し可能に差し込むことを特徴とするディスク立て装置。
【請求項２】
前記支柱の各側面部は縦長な矩形枠からなり、これら矩形枠に対して前記スリット部を有する矩形板がスライドにより着脱可能に取り付けられていることを特徴とする請求項１に記載のディスク立て装置。
【請求項３】
前記支柱は井桁状に組まれた矩形板からなり、互いに並列する前記矩形板の外側端部に前記スリット部が位置することを特徴とする請求項１に記載のディスク立て装置。
【請求項４】
前記支柱の少なくとも一側面部は、下方から上方に向かって登坂状を成す傾斜面を形成し、この傾斜面に前記スリット部を有する段部を複数段に形成したことを特徴とする請求項１に記載のディスク立て装置。
【請求項５】
前記支柱は角錐をなし、その角錐の前記稜線部に前記スリット部の深さ方向が前記母線に平行あるいは略平行となることを特徴とする請求項１に記載のディスク立て装置。
【請求項６】
前記支柱は中心軸の回りに自由回転可能に設けられていることを特徴とする請求項１に記載のディスク立て装置。
【請求項７】
前記支柱の各側面部に、前記スリット部を有して下方から上方に向かって登坂状を成す傾斜面を形成していることを特徴とする請求項１に記載のディスク立て装置。
【請求項８】
前記支柱は吊り下げられた状態で中心軸を中心にして自由回転可能に設けられていることを特徴とする請求項１に記載のディスク立て装置。
【請求項９】
基台上に立設されて側面部に周方向に複数の縦溝部を形成した支柱と、
上下複数段にスリット部を形成し、一側端部を介して前記縦溝部に着脱可能に取り付ける矩形板とを備え、
ディスクの一端部を前記スリット部に取出し可能に差し込むことを特徴とするディスク立て装置。
【請求項１０】
前記縦溝部は蟻溝であり、前記矩形板の一側端部に前記蟻溝に縦方向のスライド操作により着脱可能に差し込む臍部を有することを特徴とする請求項９に記載のディスク立て装置。
【請求項１１】
前記蟻溝の開口部は、広めに形成されて前記矩形板を前記蟻溝を中心に左右に揺動可能に設けていることを特徴とする請求項１０に記載のディスク立て装置。
【請求項１２】
支柱の側面部に上下複数段に設けられて上段から下段に向かって順に長尺となるように水平に延びる腕部と、
これら腕部の先端部に設けた略三角形のサック部とを備え、
ディスクの一隅角部を前記サック部に取出し可能に差し込むことを特徴とするディスク立て装置。
【請求項１３】
四角柱状の支柱の四稜線部に互いに直行するように形成された台形板部と、
互いに並列する前記台形板部の傾斜側端部に左右に対向する状態で複数段に形成されたスリット部とを備え、
左右に対向する前記スリット部にディスクの一隅角部を取出し可能に差し込むことを特徴とするディスク立て装置。
【請求項１４】
先細り状となる螺旋状の支柱のコイル線素に所定の間隔で間欠形成された複数のスリット部を備え、これらスリット部にディスクの一隅角部を取出し可能に差し込むことを特徴とするディスク立て装置。
【請求項１５】
前記スリット部の開口周縁部には、前記ディスクの差込み時に弾性変形により折り曲がりながら前記ディスクに摺接するゴム宛片部が設けられていることを特徴とする請求項１ないし請求項１４のいずれかに記載のディスク立て装置。
【発明の詳細な説明】
技術分野
本発明は、各種のコンパクトディスク、ミニディスクやフレキシブルディスク、フロッピー（登録商標）ディスクといった薄型のディスクを合理的に立てたり、収容するディスク立て装置に関する。
背景技術
この種のディスク類の多くはＣＤ、ＭＤやＦＤなどと呼称されてコンピュータ関連機器の起動をはじめ、記録、更新や保存などに頻繁に用いられている。コンピュータ関連機器で情報通信を行ったり、音楽を聞いたり、事務処理などに利用された後には、再使用を考慮して所定の位置に収納したり保管している。使用後の保管にあたっては、例えば箱状の引出しにしまったり、本立て状の棚に横方向に重なり合うように収容されている。
再使用時の便宜上、ディスクの表面には、記録内容が一目で分かるように題名を記したラベルが貼られて、再使用の際の便宜に供しているのが一般的である。上記のようにディスクを引出しにしまったり、本立て状の棚に収容するものでは、収納時にディスク同士の全体が隙間なく重なり合ってしまうので、ディスクの題名が見えなくなる。このため、取り出したいディスクを見つけるには、再使用時に重なり合ったディスクをめくり上げながら逐一確認してディスクの出し入れを繰り返さす必要があり、面倒で手間取りがちな作業となっている。
本発明は上記事情に鑑みてなされ、その目的は再使用時に外部からディスクの題名を視認することにより所望のディスクを素早く取り出すことができ、コンピュータ関連機器に適用した場合、事務処理能率の向上に寄与するディスク立て装置を提供することにある。
発明の開示
（１）支柱に複数段に形成したスリット部にディスクの一端部を挿入すると、使用者側からは複数のディスクが所定の間隔をもって部分的に重なり合うようになる。このため、再使用時に上下に隣り合うディスクの隙間から各ディスクの題名を視認することにより、所望のディスクを素早く取り出すことができる。ディスクをコンピュータ関連機器に適用した場合、ディスクの素早い取り出しにより事務処理能率が向上する。
（２）矩形枠の各側面部に、スリット部を形成した矩形板がスライドにより着脱可能に取り付けられるように構成している。矩形板を矩形枠に取り付ける枚数により、スリット部の個数、すなわちディスクの収容枚数を調節できる便宜が得られる。
（３）支柱の井桁構成が個性的な構造物として奇抜な印象を与えて使用者が愛着を持つことにより短時間でディスクの出し入れをたやすくできる便宜がある。
（４）支柱の少なくとも一側面部は、下方から上方に向かって登坂状を成す傾斜面を形成し、傾斜面にスリット部を有する段部を複数段に設けている。このため、スリット部の形成面積が増えてディスクの収容能力が向上する。
（５）角錐の稜線部にスリット部を形成し、スリット部の深さ方向を角錐の母線に平行あるいは略平行となるように設定したので、左右に隣接するディスク同士の干渉が緩和し、前後に隣り合うディスク同士が外方に大きく突き出ないので、省スペース化を妨げない。
（６）支柱が中心軸を中心にして自由に回転するので、所望のディスクを取り出す際に支柱を回転させることによりディスクを見出し易い便宜が得られる。
（７）支柱の側面部に、スリット部を有する傾斜面を形成しているので、安定性が良くなるとともに、スリット部の形成面積が増えてディスクの収容能力が向上する。
（８）支柱は吊り下げられて中心軸を中心にして自由に回転するため、所望のディスクを取り出す際に支柱を回転させることによりディスクを見出し易い便宜が得られる。
（９）支柱の縦溝部に、スリット部を形成した矩形板を着脱可能に取り付けているので、矩形板を縦溝部に取り付ける枚数により、スリット部の個数、すなわちディスクの収容枚数を調節できる便宜が得られる。不要な矩形板は取り外して置けばよいので、省スペース化に役立つ。
（１０）支柱の縦溝部は蟻溝とし、矩形板の一側端部に蟻溝にスライド操作により着脱可能に差し込む臍部を有する。このため、矩形板の着脱構造を比較的簡素な構造でコスト的に有利に実現することができる。
（１１）蟻溝の開口部は、広めに形成されて矩形板を蟻溝を中心に左右に揺動可能に設けている。矩形板を揺動変位させることにより、ディスクを視認し易い位置で取り出すことができる。
（１２）支柱の側面部からは上下複数段の腕部が下段に向かって順に長尺となるように水平に延び、各腕部の先端部に略三角形のサック部を設けている。サック部にディスクの一隅角部を取出し可能に差し込む。このため、全体が帆船を連想させる奇抜な構造物となり、使用者に愛着を与えて使用者が短時間でディスクの出入れ操作に慣れ親しむことができる。
（１３）四角柱状の支柱の四稜線部に形成された台形板部には、スリット部が左右に対向する状態で複数段に形成されている。左右に対向するスリット部にディスクの一隅角部を取出し可能に差し込む。このため、台形板部の配置により造形の奇抜感が得られるとともに、スリット部の形成数が増加してディスクの収容量が増えるといった利点がある。
（１４）先細り状となる螺旋状の支柱のコイル線素に所定の間隔で間欠形成された複数のスリット部を備え、これらスリット部にディスクの一隅角部を取出し可能に差し込む。このため、ディスクの出入が容易になり、ディスクの着脱操作性が向上するするとともに、螺旋状の支柱とディスクとの立体構成により高い美観・装飾性が得られる。
（１５）スリット部の開口周縁部には、ディスクの差込み時に弾性変形により折り曲がりながらディスクに摺接するゴム宛片部が設けられている。このため、ゴム宛片部の摩擦摺接によりディスクのすべりが止められてスリット部に対する差込み状態が安定する。
発明を実施するための最良の形態
本発明の各実施例を図面に基づいて説明する。
図１は、本発明の第１実施例におけるディスク立て装置Ａを示す。ディスク立て装置Ａは、机上やコンピュータ関連機器の周辺など適宜の場所に設置される。ディスク立て装置Ａの基台１上には、中心軸３を介して三角柱状の支柱２が立設されている。支柱２の各稜線部には、切欠状のスリット部４が所定の間隔で上下複数段に形成されている。スリット部４の深さ方向は、支柱２の母線に対して平行あるいは１０度〜７０度の角度範囲内で傾斜している。
支柱２のスリット部４には、使用後の保管としてディスク５の一端部が着脱可能に差し込まれている。ディスク５としては、コンパクトディスク（ＣＤ）、ミニディスク（ＭＤ）、フレキシブルディスク（ＦＤ）やフロッピー（登録商標）ディスクなどの薄型ディスクを例示することができる。矩形のディスク５を用いた場合は、ディスク５の一隅角部をスリット部４に取出し可能に差し込む。
この構成では、支柱２に形成したスリット部４にディスク５の一隅角部を取出し可能に差し込むようにしている。このため、複数のディスク５が所定の間隔をもって部分的に重なり合うようになり、再使用時に上下に隣接するディスク５の隙間から各ディスク５の記録内容としての題名を視認することができ、所望のディスク５を素早く取り出すことができる。
図２は本発明の第２実施例を示す。この実施例のディスク立て装置Ｂでは、三角錐台状の支柱２を用いて各稜線部にスリット部４を形成し、スリット部４にディスク５の一端部が取出し可能に差し込まれている。この場合、支柱２が三角錐台状で安定的な形態のため、第１実施例の基台１を省いて支柱２の底辺部２Ｓを机上などに直接設置する。
図３は本発明の第３実施例を示す。この実施例のディスク立て装置Ｃでは、円柱状の支柱２を用いている。支柱２の側面部には、棒状の腕部６が上下複数段に設けられている。各腕部６は、上段から下段に向かって順に長尺となるように水平方向に延びている。各腕部６の先端部には、略三角形のサック部７を設けている。ディスク５の一隅角部を入口７ａから各サック部７に取出し可能に差し込む。
図４は本発明の第４実施例を示す。この実施例のディスク立て装置Ｄでは、中空で四角柱状の支柱２を用いている。支柱２は、基台１上の中心軸の回りに自由回転可能に設けられている。支柱２の各側面部には、水平なスリット部４が上下複数段に形成され、各スリット部４にディスク５の一隅角部が取出し可能に差し込まれている。
図５は本発明の第５実施例を示す。この実施例のディスク立て装置Ｅでは、支柱２の各側面部は縦長な矩形枠８からなり、これら矩形枠８の左右両端部に縦レール部９を形成している。対向する一対の縦レール部９、９間には、スリット部４を有する矩形板１０がスライドにより着脱可能に差し込まれている。
この際、図６に示すように、前面の矩形板１０をヒンジ１０Ｌにより開閉可能に取り付けることができる。支柱２の内部空間Ｒｍには、仕切板１０Ｍを上下に設けて棚部を形成し、棚内にディスク５を重ねて収納保管するようにしてもよい。
図７は本発明の第６実施例を示す。この実施例のディスク立て装置Ｆでは、支柱２を井桁状に組まれた縦長な矩形板１１から構成し、互いに並列する矩形板１１の外側端部にスリット部４が上下複数段に位置する。左右一対のスリット部４、４にディスク５の一隅角部が取出し可能に差し込まれている。
図８は本発明の第７実施例を示す。この実施例のディスク立て装置Ｇでは、支柱２は、四角柱２ａの各側面部に偏平な台形柱２ｂを一体に形成して構成されている。台形柱２ｂの外側面部に水平なスリット部４を傾斜線部４ａに沿って複数段に形成し、各スリット部４にディスク５の一端部が取出し可能に差し込まれている。
図９は本発明の第８実施例を示す。この実施例のディスク立て装置Ｈでは、三角錐台状の支柱２を用いて各稜線部にスリット部４を上下複数段に形成し、各スリット部４にディスク５の一隅角部が取出し可能に差し込まれている。
図１０は本発明の第９実施例を示す。この実施例のディスク立て装置Ｉでは、四角錐台状の支柱２を用いて各側面部に水平なスリット部４を上下複数段に形成し、各スリット部４にディスク５の一隅角部が取出し可能に差し込まれている。
図１１は本発明の第１０実施例を示す。この実施例のディスク立て装置Ｊでは、四角錐台状の支柱２の側面部から稜線部にかけてスリット部４を上下複数段に形成し、各スリット部４にディスク５の一端部が取出し可能に差し込まれている。支柱２の上端面部には、ワイヤーや紐などの索条部材を用いてディスク立て装置Ｊを吊り下げるためのフック部１２が取付けられている。
図１２は本発明の第１１実施例を示す。この実施例のディスク立て装置Ｋでは、四角錐台状の支柱２を用いている。支柱２の左右両側面部は中空の貫通空間Ｒｐを設けており、前後両側面部は下方から上方に向かって登坂状を成す傾斜面１３を形成している。前後の傾斜面１３には、水平なスリット部４を有する段部１３ａを多段（例えば７段）に形成している。スリット部４を各段部１３ａの左右方向の全長にわたって設けているので、各スリット部４は、上段から下段に向かって順に長尺となってディスク５を二枚づつ取出し可能に収容する。この場合、スリット部４によるディスク５の収容量が大きいので、スリット部４は前後の傾斜面１３の一方のみに形成してもよい。この際、貫通空間Ｒｐ内に仕切板を上下に設けてディスク５を収容する保管室を形成することができる。
図１３は本発明の第１２実施例を示す。この実施例のディスク立て装置Ｌでは、稜線部の傾斜（例えば４０度〜６０度）が比較的緩やかな正四角錐台状の支柱２を用いている。スリット部４の深さ方向が支柱２の母線に平行あるいは略平行となるように設定している。これらの点を除けば、図１２の第１１実施例と略同様である。
図１４は本発明の第１３実施例を示す。この実施例のディスク立て装置Ｍでは、稜線部の傾斜（例えば４０度〜６０度）が比較的緩やかな正四角錐台状の支柱２を用いている。スリット部４の深さ方向を支柱２の母線に平行もしくは略平行となるように設定している。これらの点を除けば、図１０の第９実施例と略同様である。
図１５および図１６は本発明の第１４実施例を示す。この実施例のディスク立て装置Ｎでは、中空で正四角錐台状の支柱２を用いている。スリット部４の深さ方向を支柱２の母線に平行あるいは略平行となるように設定している。支柱２の上端面には、中心軸３の先端部を着脱可能に嵌め込むボス部１４を形成している。このため、中空の支柱２を中心軸３のボス部１４から取り外せば、図１６に示すように支柱２の底面部１５を机上などに直接置くことができる。
図１７〜図１９は本発明の第１５実施例を示す。この実施例のディスク立て装置Ｏが図１４の第１３実施例と異なるところは支柱２の四稜線部に直角三角錐状の凹陥部１６を形成したことである。凹陥部１６の形成により、支柱２の各側面部に存する直角四角錐を傾斜面１６ａとしている。支柱２を中心軸３のボス部１４から取り外せば、図１８に示すように支柱２の底面部１６Ａを机上などに直接置くことができる。中心軸３から取り外した支柱２は、図１９に示すように壁掛け棒１７に吊り下げることができる。壁掛け棒１７は、ボス部１４に連結する数珠状の球部１８を有し、この球部１８に吊り棒１９を着脱可能に嵌着させている。
図２０は本発明の第１６実施例を示す。この実施例のディスク立て装置Ｐでは、四角柱状の支柱２を用いている。支柱２の四稜線部には、互いに直交する台形板部２０を一体的に形成している。互いに並列する台形板部２０の傾斜側端部２０ａには、左右に対向するスリット部４を一対づつ複数段に形成し、左右一対のスリット部４にディスク５の一隅角部を取出し可能に差し込む。
図２１および図２２は本発明の第１７実施例を示す。この実施例のディスク立て装置Ｑでは、支柱２を円柱状に形成し、この外側面の周方向に複数の蟻溝２１を下端閉鎖形の縦溝部として形成している。矩形板２２の一側端部には細長な臍部２３が一体に形成されている。臍部２３をスライドさせて蟻溝２１に差し込むことにより、矩形板２２を蟻溝２１に着脱可能に設けている。矩形板２２の片面部には、深さ方向が矩形板２２に対して所定の角度で傾斜するスリット部４が上下複数段に形成されている。スリット部４にディスク５の一隅角部を取出し可能に差し込む。この場合、蟻溝２１の縦長な開口部２１ａは、若干広く形成されて矩形板２２が蟻溝２１を中心に左右方向に揺動できるようになっている。
矩形板２２が蟻溝２１に着脱可能になっているため、収容すべきディスク５の枚数が少ない場合、矩形板２２を支柱２から取り外しておくことにより、かさ張らず省スペース化に寄与する。この実施例では、矩形板２２が左右方向に揺動するため、矩形板２２を近づけることにより、ディスク５を取り出し易くなる便宜が得られる。
図２３は本発明の第１８実施例を示す。この実施例では、先細り状となる螺旋状の支柱２のコイル線素２ｊ〜２ｍに所定の間隔で間欠形成された複数のスリット部４を備えている。これらスリット部４には、ディスク５の一隅角部を取出し可能に差し込むようになっている。
図２４および図２５は本発明の第１９実施例を示す。この実施例では、中空の支柱２に設けたスリット部４の開口周縁部裏側にゴム宛片部３１をピン３２により取り付けている。ディスク５の差込み時、図２５の（ａ）から同図の（ｂ）に移行する態様から分かるように、ゴム宛片部３１が内方に折り曲がりながらディスク５に摺接してすべり止めを図る。
図２６および図２７は本発明の第２０実施例を示す。この実施例では、第６実施例のように井桁状の支柱２を備えた場合、支柱２のスリット部４の開口周縁部の左右外側面にゴム宛片部３３を取り付けている。ディスク５の差込み時、図２７の（ａ）、（ｂ）に示すようにゴム宛片部３３は弾性変形により内方に折り曲がりながらディスク５に摺接してすべり止めを図る。
（変形例）
なお、上記実施例における支柱２の材料としては、青銅、真鍮、鉄、鋼、アルミニウム、ステンレススチールなどの金属、セラミック、木材や各種のプラスチックを用いることができる。
支柱２は、円錐状、円柱、四角錐に限らず多角錐、楕円体や紡錘体などの各種の立体物を使用することができる。
スリット部４の配列は、等間隔に限らず等比級数的あるいは等差級数的など異なる間隔で並列してもよい。
支柱２に形成するスリット部４の長さは、全てが同一寸法でなくてもよく、大きさの異なる複数のディスク５をスリット部４に差し込むようにしてもよい。本発明の具体的な実施にあたっては、支柱２は新製品の発売や新店舗の営業時などに提供するノベルティとして使用できるなど本発明の要旨を逸脱しない範囲で種々変更することができる。
産業上の利用可能性
本発明のディスク立て装置では、支柱に複数段に形成したスリット部にディスクの一端部を挿入すると、使用者側からは複数のディスクが所定の間隔をもって部分的に重なり合うようになる。このため、再使用時に上下に隣り合うディスクの隙間から各ディスクの題名を視認することにより、所望のディスクを素早く取り出すことができる。ディスクをコンピュータ関連機器に適用した場合、ディスクの素早い取り出しにより事務処理能率が向上し、とりわけ情報産業界に広く適用させることができる。
【図面の簡単な説明】
図１は本発明の第１実施例に係るディスク立て装置の斜視図である。
図２は本発明の第２実施例に係るディスク立て装置の斜視図である。
図３は本発明の第３実施例に係るディスク立て装置の斜視図である。
図４は本発明の第４実施例に係るディスク立て装置の斜視図である。
図５は本発明の第５実施例に係るディスク立て装置の斜視図である。
図６は第５実施例の変形例に係るディスク立て装置の斜視図である。
図７は本発明の第６実施例に係るディスク立て装置の斜視図である。
図８は本発明の第７実施例に係るディスク立て装置の斜視図である。
図９は本発明の第８実施例に係るディスク立て装置の斜視図である。
図１０は本発明の第９実施例に係るディスク立て装置の斜視図である。
図１１は本発明の第１０実施例に係るディスク立て装置の斜視図である。
図１２は本発明の第１１実施例に係るディスク立て装置の斜視図である。
図１３は本発明の第１２実施例に係るディスク立て装置の斜視図である。
図１４は本発明の第１３実施例に係るディスク立て装置の斜視図である。
図１５は本発明の第１４実施例に係るディスク立て装置の斜視図である。
図１６は中心軸から取り出した支柱の斜視図である。
図１７は本発明の第１５実施例に係るディスク立て装置の斜視図である。
図１８は中心軸から取り出した支柱の斜視図である。
図１９は吊り棒で吊り下げた支柱の斜視図である。
図２０は本発明の第１６実施例に係るディスク立て装置の斜視図である。
図２１は本発明の第１７実施例に係るディスク立て装置の斜視図である。
図２２の（イ）は支柱の拡大部分斜視図、（ロ）はディスクが差し込まれた矩形板の斜視図である。
図２３は本発明の第１８実施例に係るディスク立て装置の斜視図である。
図２４は本発明の第１９実施例に係るディスク立て装置の一部を示す斜視図である。
図２５の（ａ）はディスク立て装置の一部を示す縦断面図、（ｂ）はディスク挿入時のディスク立て装置の一部を示す縦断面図である。
図２６は本発明の第２０実施例に係るディスク立て装置の一部を示す斜視図である。
図２７の（ａ）はディスク立て装置の一部を示す正面図、（ｂ）はディスク挿入時のディスク立て装置の一部を示す縦断面図である。
【図１】
2003099680.tif 000003
【図２】
2003099680.tif 000004
【図３】
2003099680.tif 000005
【図４】
2003099680.tif 000006
【図５】
2003099680.tif 000007
【図６】
2003099680.tif 000008
【図７】
2003099680.tif 000009
【図８】
2003099680.tif 000010
【図９】
2003099680.tif 000011
【図１０】
2003099680.tif 000012
【図１１】
2003099680.tif 000013
【図１２】
2003099680.tif 000014
【図１３】
2003099680.tif 000015
【図１４】
2003099680.tif 000016
【図１５】
2003099680.tif 000017
【図１６】
2003099680.tif 000018
【図１７】
2003099680.tif 000019
【図１８】
2003099680.tif 000020
【図１９】
2003099680.tif 000021
【図２０】
2003099680.tif 000022
【図２１】
2003099680.tif 000023
【図２２】
2003099680.tif 000024
【図２３】
2003099680.tif 000025
【図２４】
2003099680.tif 000026
【図２５】
2003099680.tif 000027
【図２６】
2003099680.tif 000028
【図２７】
2003099680.tif 000029
【国際調査報告】
2003099680.tif 000030
2003099680.tif 000031